(57)【要約】【課題】手洗い部の排水口の穴径が大きい場合でも、安定して排水口上に載置することができ、ロータンク内に流下する水の流れを妨げない薬液吐出容器を提供する。【解決手段】  薬液Ａを収容する薬液タンク１、薬液タンク１の下方に設けられた薬液吐出ノズル４及び薬液吐出ノズル４の周囲に設けられた複数の足６を有し、水洗トイレのロータンクの手洗い部２０に載置され、薬液吐出ノズル４の先端開口部５が手洗い部に供給された水で洗われ、薬液Ａが吐出する薬液吐出容器１００Ａにおいて、手洗い部の排水口２０が足６の配置に対して大きい場合に、該薬液吐出容器１００Ａを手洗い部の排水口上に架設することのできる支持部材１０を設ける。支持部材１０は、手洗い部表面との接点１０ａが、足６の下端部６Ａよりも上方に位置するように形成する。【選択図】図１
2005273349.tif 000002
【特許請求の範囲】
【請求項１】
薬液を収容する薬液タンク、薬液タンクの下方に設けられた薬液吐出ノズル及び薬液吐出ノズルの周囲に設けられた複数の足を有し、水洗トイレのロータンクの手洗い部に載置され、薬液吐出ノズルの先端開口部が手洗い部に供給された水で洗われ、薬液が吐出する薬液吐出容器であって、
該薬液吐出容器を手洗い部の排水口上に架設することのできる支持部材を有し、
支持部材は、該支持部材を用いて薬液吐出容器を排水口上に架設するときの該支持部材の下端部が、足の下端部よりも上方に位置するように形成されている薬液吐出容器。
【請求項２】
前記支持部材と前記足とが連続的に形成された板状部材からなる請求項１記載の薬液吐出容器。
【請求項３】
薬液吐出容器の底部において薬液吐出ノズルの周囲に放射状に水誘導板が起立し、支持部材が、水誘導板を外側に延設した板状部材からなる請求項１記載の薬液吐出容器。
【請求項４】
支持部材が、薬液吐出容器の底部に着脱自在に取り付けられる薄板状部材からなる請求項１記載の薬液吐出容器。
【請求項５】
支持部材が、薬液吐出容器の底部に引き出し可能に組み込まれているスライドリングからなる請求項１記載の薬液吐出容器。
【請求項６】
支持部材が、薬液吐出容器の底部の一部を開閉可能に形成したヒンジ状部材からなる請求項１記載の薬液吐出容器。
【請求項７】
支持部材が、薬液吐出容器の周面から伸びた複数の棒状部材からなり、該棒状部材の下端部が、足の下端部よりも上方に位置する請求項１記載の薬液吐出容器。
【請求項８】
請求項１〜７のいずれかの薬液吐出容器の薬液タンクにトイレ洗浄液が充填されてなるトイレ洗浄用品。
【発明の詳細な説明】
【技術分野】
【０００１】
本発明は、水洗トイレの手洗い付きロータンクの手洗い部に載置し、手洗い部の上方のカランから給水により、ロータンク内に薬液（芳香剤、洗浄剤、殺菌剤等）を吐出する薬液吐出容器に関する。
【背景技術】
【０００２】
水洗トイレの手洗い付きロータンクの手洗い部に載置し、手洗い部の上方のカランから供給される水に薬液（芳香剤、洗浄剤、殺菌剤等）を混合するために用いる薬液吐出容器として、特許文献１に記載されている薬剤供給具が知られている。この薬剤供給具は、供給具本体上に薬剤容器と該薬剤容器から導出した薬剤を含浸させる含浸体とを備え、供給具本体の底面には、中央部に長尺脚部が設けられ、その周囲に短尺脚部が設けられている。使用時には長尺脚部を手洗い部の排水口に挿入し、短尺脚部を手洗い部の表面に接地させる。カランから手洗い部に水が供給されると、薬剤を保持した含浸体がその水の流れに晒され、薬剤が洗い出され、ロータンク内に流下する。
【０００３】
しかしながら、この薬剤供給具は構造的に複雑であり、製造コストが高くつく。また、薬剤を洗い出した水が手洗い部に広がるので、手洗い部が薬剤の跡で汚れやすい。
【０００４】
これに対し、薬剤タンクの底部に、薬液吐出孔を先端に有するノズルを設け、その周囲に足を設けた、単純な構造の薬液吐出容器が提案されている（特許文献２）。この薬液吐出容器は、ノズル先端の薬液吐出孔を手洗い部の排水口に挿入するようにして載置する。この薬液吐出容器によれば、カランから手洗い部に水が供給されると、その水でノズル先端の薬液吐出孔が洗われ、薬剤が直接的にロータンク内に吐出されるので、手洗い部が薬剤の跡で汚れることを防止できる。また、簡単な構造であるため、低コストに製造することができる。
【０００５】
【特許文献１】特開２００１−３４２６６８号公報
【特許文献２】特開２００３−２３９３５２号公報
【発明の開示】
【発明が解決しようとする課題】
【０００６】
しかしながら、水洗トイレのロータンクの種類は多く、手洗い部の排水口の穴径には１５ｍｍ〜５０ｍｍ程度の幅があり、さらに、排水口の周囲の手洗い部の表面形状も千差万別である。そのため、従来の薬液吐出容器によれば、足が排水口に入り込んで傾くなど、手洗い部に安定に載置することができない場合がある。薬液吐出容器が傾くと、外観が損なわれるだけでなく、所定量の薬液が吐出されないおそれが生じる。
【０００７】
薬液吐出容器を排水口上に安定に載置する手法としては、薬液吐出容器の底部をほぼ球状に形成し、その球状の底部を排水口に嵌るようにして薬液吐出容器を正立させ、薬液吐出容器が傾くことを防止する方法が考えられる。しかしながら、そのように薬液吐出容器を排水口上に正立させると、カランから供給されてロータンク内に流下する水の流れが妨げられる。
【０００８】
また、薬液吐出容器の底面積を任意の排水口に対して十分に大きく形成し、足が排水口に入り込むことを防止する方法も考えられるが、これによれば薬液吐出容器が嵩張り、手洗いの邪魔になり易い。また、排水口の周囲がすり鉢状に凹んでいる場合に、ノズルの先端の薬液吐出孔が排水口の上方に位置して排水口内に入り込まず、そのためにカランから水が供給されても薬液吐出孔が十分な水で洗われず、吐出不良が生じる場合がある。
【０００９】
そこで、本発明は、手洗い部の排水口の穴径が大きい場合、あるいは排水口周りが大きく凹んでいる場合でも、安定して排水口上に載置することができ、かつ排水口上に載置してもロータンク内に流下する水の流れを妨げず、さらに薬液吐出孔をできる限り排水口の内部又は排水口に近接して位置させることのできる薬液吐出容器を提供することを目的とする。
【課題を解決するための手段】
【００１０】
本発明者は、薬液を収容する薬液タンク、薬液タンクの下方に設けられた薬液吐出ノズル及び薬液吐出ノズルの周囲に設けられた複数の足からなる薬液吐出容器において、該薬液吐出容器を手洗い部の排水口上に架設することを可能とする特定の支持部材を設けると、排水口の穴径が大きいために、薬液吐出容器を足で手洗い部に安定に載置することができない場合でも、支持部材によって安定に載置することが可能となること、その場合、排水口を通ってロータンク内に流下する水の流れが滞らないようにできること、また、薬液吐出孔となる薬液吐出ノズルの先端開口部を排水口内又は排水口に近接して位置させることが可能となることを見出した。
【００１１】
即ち、本発明は、薬液を収容する薬液タンク、薬液タンクの下方に設けられた薬液吐出ノズル及び薬液吐出ノズルの周囲に設けられた複数の足を有し、水洗トイレのロータンクの手洗い部に載置され、薬液吐出ノズルの先端開口部が手洗い部に供給された水で洗われ、薬液が吐出する薬液吐出容器であって、
該薬液吐出容器を手洗い部の排水口上に架設することのできる支持部材を有し、
支持部材は、該支持部材を用いて薬液吐出容器を排水口上に架設するときの該支持部材と手洗い部表面との接点が、足の下端部よりも上方に位置するように形成されている薬液吐出容器を提供する。
【００１２】
また、本発明は、上述の薬液吐出容器の薬液タンクにトイレ洗浄液が充填されてなるトイレ洗浄用品を提供する。
【発明の効果】
【００１３】
本発明の薬液吐出容器は、薬液タンクの下方に設けられた薬液吐出ノズルの周囲に複数の足を有するので、ロータンクの手洗い部の排水口の穴径が足の配置に対して十分に小さい場合には、排水口に薬液吐出ノズルを挿入するようにして足を手洗い部に接地させ、薬液吐出容器を安定的に載置することができる。
【００１４】
一方、排水口の穴径が足の配置に対して大きく、排水口に複数の足の下端部が同時に入り込み、薬液吐出容器を排水口上に安定的に載置することができない場合には、支持部材によって薬液吐出容器を排水口上に安定的に載置することができる。この支持部材は、薬液吐出容器を排水口上に架設するものであり、薬液吐出容器の底部と排水口との間には間隙があく。したがって、カランから供給され、排水口を通ってロータンク内に流下する水の流れが滞ることはない。
【００１５】
また、この支持部材で薬液吐出容器が排水口上に載置される場合に、この支持部材の下端部は足の下端部よりも上方に位置するので、支持部材と排水口の周囲の手洗い部表面との接点は、足の下端部よりも上方になり、薬液吐出孔となる薬液吐出ノズルの先端開口部を排水口内又は排水口近傍に位置させることが可能となる。よって、カランから供給された水で薬液吐出孔を確実に洗い、その薬液が混入した水を直ちにロータンク内に流下させることが可能となる。また、これにより、薬液が混入した水が手洗い部に広がり、手洗い部が薬液の跡で汚れることを防止できる。
【発明を実施するための最良の形態】
【００１６】
以下、図面を参照しつつ、本発明を詳細に説明する。なお、各図中、同一符号は同一又は同等の構成要素を表している。
【００１７】
図１は、本発明の一態様の薬液吐出容器１００Ａに薬液Ａを充填したトイレ洗浄用品２００Ａを正面から見た部分切り欠き断面図（ａ）、上面図（ｂ）、及び底面側から見た斜視図（ｃ）である。また、図２及び図３は、このトイレ洗浄用品２００Ａを水洗トイレのロータンクの手洗い部２０に載置した使用状態の説明図である。
【００１８】
この薬液吐出容器１００Ａは、薬液タンク１と、薬液タンク１の底部開口部２に取り付けられたキャップ３を有し、キャップ３の底部に薬液吐出ノズル４が該キャップ３と一体に形成され、薬液吐出ノズル４の先端に薬液吐出孔となる開口部５が形成されている。
【００１９】
薬液タンク１には、トイレ用芳香剤、洗浄剤、殺菌剤等の薬液Ａが充填されている。薬液Ａの成分、粘度、比重等について特に制限はない。例えば、粘度１〜３０００ｍＰａ・ｓ（２０℃、Ｂ型粘度計、６０ｒｐｍ）、比重１〜１．５の洗浄剤を使用することができる。
【００２０】
薬液タンク１は、そこに充填された薬液Ａの色又は量が変化していく様子を薬液タンク１外から観察できるように、透明又は半透明材料で形成することが好ましい。
【００２１】
薬液吐出ノズル４の先端開口部５の口径は、薬液Ａの粘度、比重等に応じて定めることが好ましく、小さすぎると薬液Ａが吐出されにくく、大きすぎるとカランからの給水が停止している間に薬液吐出ノズル４を通して薬液と空気の置換が連続的に起こり、トイレの使用の有無に関わらず薬液Ａが無くなっていく。そこで、先端開口部５の口径は、例えば、粘度１〜３０００ｍＰａ・ｓ（２０℃、Ｂ型粘度計、６０ｒｐｍ）、比重１〜１．５の薬液Ａに対して、０．５〜１０ｍｍとする。また、薬液吐出ノズル４の長さＬ１は、短すぎると、手洗い部２０の形状等により、先端開口部５が水で洗われにくくなり、ロータンク内に薬液Ａの所定量を確実に吐出することが難しくなる場合があり、反対に、長すぎると、ロータンクの機種により手洗い部２０の排水口２１内にネットが張ってある場合に排水口２１に薬液吐出ノズルを挿入することができないので、５〜２０ｍｍが好ましい。
【００２２】
キャップ３の底部には、薬液吐出ノズル４の周囲に足６が設けられ、さらに、薬液吐出ノズル４を中心として放射状に８枚の水誘導板７が起立し、さらに、薬液吐出ノズル４の周壁には、４枚の水量調整板８が該薬液吐出ノズル４の長手方向に沿って伸び、その先端が薬液吐出ノズル４の先端開口部５よりも突出している。これら足６、水誘導板７及び水量調整板８はキャップ３と一体に形成されている。なお、符号１８は、キャップ３の壁面に形成された窓である。
【００２３】
キャップ３の底部に足６を設けることにより、図２に示すように、ロータンクの手洗い部２０の排水口２１上にトイレ洗浄用品２００Ａを足で立させた場合に、キャップ３の底部と排水口２１との間に間隙をあけ、ロータンク内に流れ込む水の流れが滞らないようにすることができる。
【００２４】
水誘導板７や水量調整板８は、本発明において必要に応じて設けられるが、水誘導板７を、薬液吐出ノズル４を中心として放射状に設けると、ロータンクの手洗い部２０の形状、手洗水の水量、水圧、手洗い部２０における薬液吐出容器１００Ａの載置位置等によらず、カランから供給された水が、水誘導板７に沿って薬液吐出ノズル４の方に流れ、次いで、薬液吐出ノズル４に沿ってロータンク内に流下するので好ましい。また、水量調整板８を、薬液吐出ノズル４の先端開口部５よりも突出させて設けることにより、薬液吐出ノズル４の先端開口部５にカランからの水Ｗが過剰に当たり続けることによる薬液Ａの過剰吐出を防止できるので好ましい。
【００２５】
なお、水誘導板７や水量調整板８の態様は、上述の例に限らない。例えば、水誘導板７は、薬液吐出ノズル４を中心として放射状に起立したものである限り、その形状は平板でも曲板でもよい。水誘導板７の数は、８枚に限らず複数枚とすることができる。
【００２６】
この薬液吐出容器１００Ａにおいては、上述の水誘導板７のうち対向する２組（合計４枚）について、それを構成する板状部材を外側に該容器１００Ａの底部の周縁部にまで延設した支持部材１０が設けられていることを特徴としている。ここで、支持部材１０と足６とは連続的に形成された板状材料かなり、また、支持部材１０の縁辺１０ｂはなだらかな曲線を呈している。この支持部材１０により、図３に示すように、手洗い部２０の排水口２１の穴径が大きい場合でも、薬液吐出容器１００Ａを安定的に排水口２１上に架設することが可能となる。なお、板状部材からなる支持部材１０の枚数は、薬液吐出容器１００Ａを排水口２１上に安定的に架設することができる限り４枚に限られず、複数枚とすることができる。
【００２７】
薬液タンク１上には、着脱自在に天板９が設けられている。この天板９は、本発明において、カランの水が薬液吐出容器１００Ａの真上から供給される場合に、水Ｗが薬液タンク１に直接的に当たることを防止し、それにより、薬液タンク１からの薬液Ａの吐出量を、水温あるいは気温の変動によらず、安定化させるため、必要に応じて設けられる。また、カランから供給された水は天板９に沿って放射状に流れ、美しい水のベールの外観を呈するので、トイレ洗浄用品２００Ａの使用感を向上させる点からも好ましい。
【００２８】
このトイレ洗浄用品２００Ａの使用方法としては、まず、薬液Ａが薬液タンク１に収容されている状態において、トイレ洗浄用品２００Ａを水洗トイレの手洗い付きロータンクの手洗い部２０の排水口２１上に、該排水口２１に薬液吐出ノズル４を挿入するようにして載置する。ここで、排水口２１の穴径が足６の配置に対して十分に小さい場合（例えば、穴径Ｒ1 ＝１３〜２９ｍｍ）には、図２に示すように、排水口２１の周囲の手洗い部表面に足６が接地し、排水口２１上でトイレ洗浄用品２００Ａが安定に載置されることとなる。一方、排水口２１の穴径が足６の配置に対して大きく、排水口２１に複数の足６の下端部が同時に入り込む場合（例えば、穴径Ｒ2 ＝３０〜５０ｍｍ）には、図３に示すように、トイレ洗浄用品２００Ａは、支持部材１０で排水口２１上に架設されることにより、排水口２１上に安定に載置されることとなる。いずれの場合も、キャップ３の底部と排水口２１との間には十分な間隙があり、カランから供給され、排水口２１を通ってロータンクに流入する水の流れが滞ることはない。
【００２９】
上述のように手洗い部２０の排水口２１上に載置された状態において、薬液吐出ノズル４の先端開口部５には、表面張力と薬液タンク１内の弱い負圧により薬液Ａが保持されている。
【００３０】
水洗トイレの水がフラッシュされ、カランから水が供給されると、水Ｗは、まず、天板９に沿って放射状に流れ、次いで薬液タンク１の側面に沿って手洗い部２０に流れ込む。手洗い部２０に流れ込んだ水Ｗは、水誘導板７に沿って薬液吐出ノズル４の方に流れ、薬液Ａが保持されている先端開口部５を洗う。
【００３１】
ここで、図２のように載置した場合、薬液吐出ノズル４の先端開口部５は、排水口２１の上方に浮んでおらず、排水口２１内に位置する。また、図３のように載置した場合、支持部材１０と、排水口２１の周囲の手洗い部表面との接点１０ａは、足６の下端部６ａよりも上方に位置するので、この場合も薬液吐出ノズル４の先端開口部５は排水口２１内に位置する。よって、いずれの場合も、先端開口部５が適量の水で洗われ、薬液Ａが吐出されることとなる。これに対し、図３に破線で示すように、支持部材１０と、排水口２１の周囲の手洗い部表面との接点１０ａａが、足６の下端部６ａ以下となると、薬液吐出ノズル４の先端開口部５の位置が相対的に排水口２１の上方にずれる。したがって、先端開口部５を洗う水量が減り、所定量の薬液Ａを吐出させることが困難となる。
【００３２】
こうして、先端開口部５に保持されていた薬液Ａが水Ｗでさらわれると、先端開口部５に付着している水、薬液の希釈液又は空気が直ちに薬液タンク１内に入り、薬液吐出ノズル４の先端開口部５には再度薬液Ａ又はその希釈液が保持される。
【００３３】
カランからの給水が止まると薬液吐出ノズル４の先端開口部５に保持されている薬液Ａをさらう水の流れがなくなり、この流れによるロータンク内への薬液Ａの吐出も止まる。その後、水温と気温の関係で薬液タンク１のヘッドスペースが膨張した場合には、随時、薬液Ａがロータンク内に吐出される。
【００３４】
以降、カランからの給水によりこの作用が繰り返され、薬液Ａがロータンク内に混入する。
【００３５】
なお、ロータンクの排水口２１上にカランが設けられ、薬液タンク１の上方から水が供給される場合について、説明したが、ロータンクの排水口２１上にはカランがなく、したがって、ロータンクの排水口２１上にトイレ洗浄用品２００Ａを載置した場合に、薬液タンク１の側方のカランから水が供給される場合でも、このトイレ洗浄用品２００Ａは同様に使用することができる。
【００３６】
本発明の薬液吐出容器において、支持部材は種々の態様をとることができる。例えば、図４の薬液吐出容器１００Ｂも、その底部において薬液吐出ノズル４の周囲に８枚の水誘導板７を放射状に起立させているが、図１の薬液吐出容器１００Ａのように水誘導板７を延設した支持部材１０に代えて、２枚の薄板状部材を支持部材１１として使用するものである。この薄板状部材からなる支持部材１１は、図４（ｂ）、（ｃ）に示すように、薬液吐出ノズル４を挟んで対向する位置に着脱自在に取り付けられる。
【００３７】
支持部材１１としては、厚さ０．３〜２ｍｍ程度のポリプロピレン等のプラスチック板を使用することができ、このようなプラスチック板は、例えば、薬液吐出容器１００Ｂの外装材をなすプラスチック板の一部を切り取ることにより得ることができる。また、その先端部を水誘導板７の基部に押し込むことによって固定できるように、水誘導板７の基部には、溝を形成しておくことが好ましい。
【００３８】
図４の薬液吐出容器１００Ｂは、支持部材１１以外は図１の薬液吐出容器１００Ａと同様に構成されている。したがって、この薬液吐出容器１００Ｂに薬液を充填したトイレ洗浄用品２００Ｂの使用時において、排水口２１の穴径が足６の配置に対して十分に小さい場合には、図５に示すように、排水口２１の周囲の手洗い部表面に足６を接地させてトイレ洗浄用品２００Ｂを載置する。一方、排水口２１の穴径が足６の配置に対して大きく、排水口２１に複数の足６の下端部が同時に入り込む場合には、薄板状部材からなる支持部材１１を薬液吐出容器１００Ｂの底部に取り付け、図６に示すように、支持部材１１でトイレ洗浄用品２００Ｂを排水口２１上に架設する。このように薄板状部材からなる支持部材１１を用いた場合、支持部材１１と、排水口２１の周囲の手洗い部表面との接点１１ａは、足６の下端部６ａよりも上方に位置するので、この場合も薬液吐出ノズル４の先端開口部５は排水口２１内に位置する。よって、先端開口部５が適量の水で洗われ、薬液Ａが吐出されることとなる。
【００３９】
図７は、さらに異なる支持部材１２を有する薬液吐出容器１００Ｃの側面図及び底面側から見た斜視図である。この薬液吐出容器１００Ｃの支持部材１２は、薬液吐出容器１００Ｃの底部に引き出し可能に組み込まれたスライドリングからなっている。このスライドリングからなる支持部材１２は、図７（ａ）、（ｂ）に示すように、その大部分を薬液吐出容器１００Ｃの底部内に収容することができ、必要に応じて同図（ｃ）に示すように、引き出すことができる。
【００４０】
したがって、この薬液吐出容器１００Ｃに薬液を充填したトイレ洗浄用品２００Ｃの使用時において、排水口２１の穴径が足６の配置に対して十分に小さい場合には、図８に示すように、スライドリングからなる支持部材１２を薬液吐出容器１００Ｃの底部に収容した状態で、排水口２１の周囲の手洗い部表面に足６を接地させてトイレ洗浄用品２００Ｂを載置する。一方、排水口２１の穴径が足６の配置に対して大きく、排水口２１に複数の足６の下端部が同時に入り込む場合には、支持部材１２を薬液吐出容器１００Ｃの底部から引き出し、図９に示すように、支持部材１２でトイレ洗浄用品２００Ｂを排水口２１上に架設する。この場合も、支持部材１２と、排水口２１の周囲の手洗い部表面との接点１２ａは、足６の下端部６ａよりも上方に位置するので、薬液吐出ノズル４の先端開口部５は排水口２１内に位置する。よって、先端開口部５が適量の水で洗われ、薬液Ａが吐出されることとなる。
【００４１】
図１０は、薬液吐出容器１００Ｄの底部の一部をヒンジ状に開閉自在に形成し、その開閉部分を支持部材１３としたものである。このヒンジ状の支持部材１３は、図１０（ｂ）に示すように閉じ、該支持部材１３とキャップ３とを係合（図示せず）することにより、閉じた状態におくことができるが、その係合を外すことにより、同図（ｃ）に示すように、開いた状態となる。
【００４２】
したがって、この薬液吐出容器１００Ｄに薬液を充填したトイレ洗浄用品２００Ｄの使用時において、排水口２１の穴径が足６の配置に対して十分に小さい場合には、図１１に示すように、ヒンジ状の支持部材１３を閉じた状態で、排水口２１の周囲の手洗い部表面に足６を接地させてトイレ洗浄用品２００Ｄを載置する。一方、排水口２１の穴径が足６の配置に対して大きく、排水口２１に複数の足６の下端部が同時に入り込む場合には、図１２に示すように薬液吐出容器１００Ｄの底部から支持部材１３を開き、支持部材１３でトイレ洗浄用品２００Ｄを排水口２１上に架設する。この場合も、支持部材１３と、排水口２１の周囲の手洗い部表面との接点１３ａは、足６の下端部６ａよりも上方に位置するので、薬液吐出ノズル４の先端開口部５は排水口２１内に位置する。よって、先端開口部５が適量の水で洗われ、薬液Ａが吐出されることとなる。
【００４３】
図１３は、支持部材１４として、薬液吐出容器１００Ｅのキャップ３の周面に４本の屈曲した棒状部材を伸ばしたものである。この棒状の支持部材１４は、その下端部１４ａが、足６の下端部６ａよりも上方に位置するように形成されている。
【００４４】
したがって、この薬液吐出容器１００Ｅに薬液を充填したトイレ洗浄用品２００Ｅは、その使用時において、排水口２１の穴径が足６の配置に対して十分に小さい場合には、図１４に示すように、排水口２１の周囲の手洗い部表面に足６が接地することによりトイレ洗浄用品２００Ｅに載置される。一方、排水口２１の穴径が足６の配置に対して大きく、排水口２１に複数の足６の下端部が同時に入り込む場合には、図１５に示すように支持部材１４で排水口２１上に架設される。この場合も、支持部材１４と、排水口２１の周囲手洗い部表面との接点１４ａは、足６の下端部６ａよりも上方に位置するので、薬液吐出ノズル４の先端開口部５は排水口２１内に位置する。よって、先端開口部５が適量の水で洗われ、薬液Ａが吐出されることとなる。
【００４５】
この他、本発明は種々の態様をとることができる。例えば、図１３の薬液吐出容器１００Ｅにおいて、支持部材１４は、キャップ３から伸ばすことに代えて、薬液タンク１の外壁から伸ばしても良い。また、その本数も４本に限らず複数本とすることができる。
【００４６】
薬液タンク１や薬液吐出ノズル４等の個々の構成部品は、図示した態様に限らず、種々の形状をとることができる。
【産業上の利用可能性】
【００４７】
本発明の薬液吐出容器は、水洗トイレの手洗い付きロータンクである限り、手洗い部におけるカランや吸水口の位置、排水口の穴径の大小等に関わらず、使用することができる。
【図面の簡単な説明】
【００４８】
【図１】トイレ洗浄用品２００Ａを正面から見た部分切り欠き断面図（ａ）、上面図（ｂ）、及び底面側から見た斜視図（ｃ）である。
【図２】トイレ洗浄用品２００Ａの使用状態の説明図である。
【図３】トイレ洗浄用品２００Ａの使用状態の説明図である。
【図４】薬液吐出容器１００Ｂの側面図（ａ）及び底面側から見た斜視図（ｂ）、（ｃ）である。
【図５】トイレ洗浄用品２００Ｂの使用状態の説明図である。
【図６】トイレ洗浄用品２００Ｂの使用状態の説明図である。
【図７】薬液吐出容器１００Ｃの側面図（ａ）及び底面側から見た斜視図（ｂ）、（ｃ）である。
【図８】トイレ洗浄用品２００Ｃの使用状態の説明図である。
【図９】トイレ洗浄用品２００Ｃの使用状態の説明図である。
【図１０】薬液吐出容器１００Ｄの側面図（ａ）及び底面側から見た斜視図（ｂ）、（ｃ）である。
【図１１】トイレ洗浄用品２００Ｄの使用状態の説明図である。
【図１２】トイレ洗浄用品２００Ｄの使用状態の説明図である。
【図１３】薬液吐出容器１００Ｅの側面図（ａ）及び底面側から見た斜視図（ｂ）である。
【図１４】トイレ洗浄用品２００Ｅの使用状態の説明図である。
【図１５】トイレ洗浄用品２００Ｅの使用状態の説明図である。
【符号の説明】
【００４９】
１    薬液タンク
４    薬液吐出ノズル
５    先端開口部（薬液吐出孔）
６    足
６ａ  足の下端部
７    水誘導板
８    水量調整板
１０、１１、１２、１３、１４    支持部材
１０ａ、１１ａ、１２ａ  支持部材と、排水口の周囲の手洗い部表面との接点
１０ａａ  仮想の支持部材と、排水口の周囲の手洗い部表面との接点
１０ｂ  支持部材の縁辺
２０    手洗い部
２１    排水口
１００Ａ、１００Ｂ、１００Ｃ、１００Ｄ、１００Ｅ  薬液吐出容器
２００Ａ、２００Ｂ、２００Ｃ、２００Ｄ、２００Ｅ  トイレ洗浄用品
Ａ    薬液
Ｌ1   薬液吐出ノズルの長さ
Ｒ1、Ｒ2    排水口の穴径
【図１】
2005273349.tif 000003
【図２】
2005273349.tif 000004
【図３】
2005273349.tif 000005
【図４】
2005273349.tif 000006
【図５】
2005273349.tif 000007
【図６】
2005273349.tif 000008
【図７】
2005273349.tif 000009
【図８】
2005273349.tif 000010
【図９】
2005273349.tif 000011
【図１０】
2005273349.tif 000012
【図１１】
2005273349.tif 000013
【図１２】
2005273349.tif 000014
【図１３】
2005273349.tif 000015
【図１４】
2005273349.tif 000016
【図１５】
2005273349.tif 000017